(57)【特許請求の範囲】
【請求項１】
杭圧入引抜機で杭を地中に圧入する際に反力を受け止める反力架台と、前記反力架台に対して相対的に水平移動自在なリーダーマストと、前記リーダーマストに対して昇降自在に支持された、杭を把持するチャックとを備えた杭圧入引抜機を用いた杭圧入工法であって、
地面に設置された前記反力架台と前記杭圧入引抜機とを固定して、進入支持部材を前記チャックで把持し、前記チャックを下降させて前記進入支持部材を地中に進入させる動作と、
その後、前記進入支持部材の地中への進入に代えて、この進入支持部材から得られる支持力を反力として、前記進入支持部材を把持した前記チャックに対して前記リーダーマストおよび前記反力架台を一体に上昇させる動作と、
その後前記進入支持部材を前記チャックで把持した状態で、前記反力架台を前記リーダーマストに対して水平移動させる動作と、
その後前記リーダーマストおよび前記反力架台を一体に、前記チャックに対して下降させた後、前記チャックを上昇させて前記進入支持部材を地中から引抜き、その後前記リーダーマストおよび前記チャックを、前記反力架台に対して水平移動させる動作とを有し、
前記一連の動作を一回又は複数回繰り返して行うことにより、所定位置まで前記杭圧入引抜機および前記反力架台を移動させた後、前記進入支持部材に対するチャックの把持を解除し、前記チャックで杭を把持して地中に圧入することを特徴とする、杭圧入工法。
【請求項２】
前記進入支持部材を地中に進入する途中で、この進入支持部材の地中への進入を妨げる部材を進入支持部材に設け、この進入支持部材の地中への進入を停止させることを特徴とする、請求項１に記載の杭圧入工法。
【請求項３】
杭圧入引抜機で杭を地中に圧入する際に反力を受け止める反力架台と、前記反力架台に対して相対的に水平移動自在なリーダーマストと、前記リーダーマストに対して昇降自在に支持された、杭を把持するチャックとを備えた杭圧入引抜機を用いた杭圧入工法であって、
地面に設置された前記反力架台と前記杭圧入引抜機とを固定して、設置支持部材を前記チャックで把持し、前記チャックを下降させて前記設置支持部材を地面に設置する動作と、
その後当該設置支持部材の支持力を反力として、前記設置支持部材を把持した前記チャックに対して前記リーダーマストおよび前記反力架台を一体に上昇させる動作と、
その後前記設置支持部材を前記チャックで把持した状態で、前記反力架台を前記リーダーマストに対して水平移動させる動作と、
その後前記チャックに対して前記リーダーマストおよび前記反力架台を一体に下降させた後、前記チャックを上昇させて前記設置支持部材を持ち上げる動作と、
その後前記リーダーマストおよび前記チャックを、前記反力架台に対して水平移動させる動作とを有し、
前記一連の動作を一回又は複数回繰り返して行うことにより、所定位置まで前記杭圧入引抜機および前記反力架台を移動させた後、前記設置支持部材に対するチャックの把持を解除し、前記チャックで杭を把持して地中に圧入することを特徴とする、杭圧入工法。
【請求項４】
前記リーダーマストの基台部は、前記リーダーマストを支持するサドルにスライド自在に設けられ、当該サドルが前記反力架台に固定されることを特徴とする、請求項１〜３のいずれか一項に記載の杭圧入工法。
【請求項５】
前記リーダーマストの基台部は、前記反力架台にスライド自在に直接設けられていることを特徴とする、請求項１〜３のいずれか一項に記載の杭圧入工法。
【請求項６】
請求項１〜５のいずれか一項に記載の杭圧入工法に用いる反力架台であって、
前記反力架台は、前記リーダーマストと一体に上昇した際に地面と反力架台との間に介在するローラを有することを特徴とする、反力架台。
【請求項７】
請求項１〜５のいずれか一項に記載の杭圧入工法に用いる杭圧入引抜機であって、
前記杭圧入引抜機は、前記リーダーマストが前記反力架台と一体に上昇した際に地面と杭圧入引抜機との間に介在するローラを有することを特徴とする、杭圧入引抜機。
【請求項８】
請求項１〜５のいずれか一項に記載の杭圧入工法に用いる反力架台または請求項６に記載の反力架台であって、
前記反力架台の重心は、前記杭圧入引抜機と反力架台の固定部分よりも前方に位置していることを特徴とする、反力架台。
【請求項９】
請求項８に記載の反力架台であって、
前記反力架台のフレームの少なくとも一部が、反力架台の基部を中心として側方に回動自在であることを特徴とする、反力架台。
【請求項１０】
請求項１〜５のいずれか一項に記載の杭圧入工法に用いる反力架台または請求項８〜９のいずれか一項に記載の反力架台であって、
前記チャックの回転に伴って発生する回転モーメントを地面側で受け止める手段を有することを特徴とする、反力架台。
【請求項１１】
請求項１〜５のいずれか一項に記載の杭圧入工法に用いる杭圧入引抜機または請求項７に記載の杭圧入引抜機であって、
前記チャックの回転に伴って発生する回転モーメントを地面側で受け止める手段を有することを特徴とする、杭圧入引抜機。
【発明の詳細な説明】
【技術分野】
【０００１】
本発明は、杭圧入工法、杭圧入工法に用いられる反力架台及び杭圧入引抜機に関するものである。
【背景技術】
【０００２】
各種の形鋼や鋼管杭などといった杭を地盤に打ち込んで埋設する方法として、地盤に埋め込まれた既設杭の上端を杭圧入引抜機のクランプで掴んで反力を取り、杭を把持したチャックを昇降させることにより、既設杭に隣接する位置に新しい杭を順次圧入していく施工技術が知られている。かかる施工に用いられる杭圧入引抜機は、クランプを介して既設杭に固定される、サドルと呼ばれる杭圧入引抜機のベース部分と、このサドルに対して前後方向に移動可能なスライドフレームと、スライドフレーム上で縦軸周りに旋回可能なリーダーマストと、リーダーマストの前面で昇降可能な、チャックが取り付けられたチャックフレームとを有している。またチャックには、圧入する杭を上下方向に挿通させる開口部と、開口部に通された杭を把持する一対のチャック爪が設けられている。そして、チャックの開口部に上下方向に挿通させられた杭を一対のチャック爪で把持し、リーダーマストに沿ってチャックフレームとチャックを油圧シリンダによって、一体的に昇降させて杭を地盤に圧入するようになっている。
【０００３】
このように杭圧入引抜機は、既に圧入された既設杭の上端をサドル下面に設けられたクランプで掴んで反力を取り、杭を把持したチャックを昇降させることにより、既設杭に隣接する位置に新しい杭を順次圧入していくものであるが、最初に杭を圧入する際（初期圧入時）には、未だ反力をとるための杭がない状態であるから、従来から反力架台が用いられている（特許文献１、非特許文献１）。
【０００４】
従来のこの種の反力架台は、地面に設置して使用されるが、反力架台を水平に設置し、杭圧入時に安定した圧入動作を実現するため、この反力架台に土質条件と圧入する杭の長さに応じて、たとえば杭や鋼材などの反力ウェイトを多く積載し、杭圧入引抜機をクランプでこの反力架台と固定し、最初の杭を圧入する。そして順次杭を圧入していき、所定本数の圧入が終わると、反力ウェイトを反力架台から撤去し、以降は圧入した杭をクランプで掴んで、その後の杭を圧入していく。
【先行技術文献】
【特許文献】
【０００５】
【特許文献１】実開昭和５６−１７１８３８号公報
【非特許文献】
【０００６】
【非特許文献１】“ＳＩＬＥＮＴ  ＰＩＬＩＮＧ  ＴＥＣＨＮＯＬＯＧＩＥＳ”、［online］、２０１５年５月９日、全国圧入協会、［２０１５年６月３０日検索］インターネット〈ＵＲＬ：http://www.giken.com/files/ja/press-in/Press-in_Method_Variations_ver028ja03.pdf〉
【発明の概要】
【発明が解決しようとする課題】
【０００７】
ところでこの種の圧入工法においては、圧入する杭は隣接して圧入されるものだけではなく、例えば土留用の構築物を構築する際の縦に配置される鋼管杭や各種の形鋼など、隣接しないで所定の距離を離間して杭が圧入される場合がある。
【０００８】
かかる場合、従来の反力架台を用いた方法では、最初の杭を圧入した後、杭圧入引抜機、反力ウェイト、反力架台を順次撤去し、その後所定距離離れた位置に、再び反力架台を搬入し、その後反力ウェイトを反力架台に積載し、次いで杭圧入引抜機を反力架台上に設置して、反力架台と固定するようにしていた。
【０００９】
しかしながら、これら杭圧入引抜機、反力ウェイト、反力架台は質量が大きく、上記したような搬入、移動、撤去はすべてクレーンで吊り込んで行う必要があり、相当な手間、労力、時間がかかっていた。また硬質な地盤や、杭が大型の場合には、それに伴ってこれら杭圧入引抜機、反力ウェイト、反力架台も質量が相当程度増加し、また杭圧入引抜機、反力架台のサイズも大型化し、その結果、作業用のクレーンも大型化するという問題があった。
【００１０】
本発明はかかる点に鑑みてなされたものであり、杭間を離して杭を圧入する場合において、そのようなクレーンによってその都度杭圧入引抜機、反力ウェイト、反力架台等を圧入位置に搬入したり、圧入後に撤去することなく、圧入作業を円滑に行えるようにして、前記問題の解決を図ることを目的としている。
【課題を解決するための手段】
【００１１】
前記の目的を達成するため、本発明は、杭圧入引抜機で杭を地中に圧入する際に反力を受け止める反力架台と、前記反力架台に対して相対的に水平移動自在なリーダーマストと、前記リーダーマストに対して昇降自在に支持された、杭を把持するチャックとを備えた杭圧入引抜機を用いた杭圧入工法であって、
地面に設置された前記反力架台と前記杭圧入引抜機とを固定して、進入支持部材を前記チャックで把持し、前記チャックを下降させて前記進入支持部材を地中に進入させる動作と、
その後、前記進入支持部材の地中への進入に代えて、この進入支持部材から得られる支持力を反力として、前記進入支持部材を把持した前記チャックに対して前記リーダーマストおよび前記反力架台を一体に上昇させる動作と、
その後前記進入支持部材を前記チャックで把持した状態で、前記反力架台を前記リーダーマストに対して水平移動させる動作と、
その後前記リーダーマストおよび前記反力架台を一体に、前記チャックに対して下降させた後、前記チャックを上昇させて前記進入支持部材を地中から引抜き、その後前記リーダーマストおよび前記チャックを、前記反力架台に対して水平移動させる動作とを有している。
そして前記一連の動作、すなわち、前記した４つの動作を一回又は複数回繰り返して行うことにより、所定位置まで前記杭圧入引抜機および前記反力架台を移動させた後、前記進入支持部材に対するチャックの把持を解除し、前記チャックで杭を把持して地中に圧入することを特徴としている。
【００１２】
本発明によれば、地面に設置された前記反力架台と前記杭圧入引抜機とを固定して、進入支持部材を前記チャックで把持し、前記チャックを下降させて前記進入支持部材を地中に進入させ、その後、前記進入支持部材の地中への進入に代えて、この進入支持部材から得られる支持力を反力として、前記進入支持部材を把持した前記チャックに対して前記リーダーマストおよび前記反力架台を一体に上昇させ、その後前記進入支持部材を前記チャックで把持した状態で、前記反力架台を前記リーダーマストに対して水平移動させ、その後前記リーダーマストおよび前記反力架台を一体に、前記チャックに対して下降させた後、前記チャックを上昇させて前記進入支持部材を地中から引抜き、その後前記リーダーマストおよび前記チャックを、前記反力架台に対して水平移動させるようにしたので、圧入地盤の支持力により杭圧入引抜機の重量および反力架台の重量を受け止めて、杭圧入引抜機と反力架台とを一体に上昇させた状態で、進入支持部材を起点として、杭圧入引抜機と反力架台とを一体に移動させることができる。したがって、いわば杭圧入引抜機と反力架台とが一体となって自走することができる。それゆえ従来のように杭間を離して杭を圧入する場合において、クレーン等による杭圧入引抜機、反力ウェイト、反力架台を圧入位置に搬入したり、圧入後に撤去する必要はない。
そして上記した一連の動作を一回又は複数回繰り返すことにより所定位置まで杭圧入引抜機本体と反力架台とを移動させた後、前記支持部材に対するチャックの把持を解除し、前記チャックで圧入すべき杭を把持して圧入することで、杭間が離れた所定位置に杭を圧入することができる。
【００１３】
なお本発明において進入支持部材とは、圧入地盤の支持力により杭圧入引抜機の重量および反力架台の重量を受け止める部材、たとえば各種の形鋼の杭、鋼管杭などをいう。そして前記進入支持部材の地中への進入に代えて、この進入支持部材から得られる支持力を反力として、前記進入支持部材を把持した前記チャックに対して前記リーダーマストおよび前記反力架台を一体に上昇させるには、たとえば所定深さまで杭を圧入するなどして進入させ、その結果圧入抵抗が増大したり、圧入した杭の先端が岩盤、硬質地質まで達した際には、進入支持部材から得られる支持力を反力として用いて、上昇させることができる。またケーシング内にオーガスクリューを有するオーガケーシングも使用することができる。
なお杭としては、この種の圧入工法に使用される各種の形鋼（鋼矢板、Ｈ鋼など）、鋼管矢板、鋼管杭、コンクリート杭などが例示できる。
【００１４】
そのように進入支持部材を地中に進入させても、圧入地盤の支持力により杭圧入引抜機の重量および反力架台の重量を受け止められない場合には、前記進入支持部材を地中に進入する途中で、この進入支持部材の地中への進入を妨げる部材を進入支持部材に設け、この進入支持部材の地中への進入を、当該妨げる部材によって強制的に停止させるようにすればよい。進入支持部材の地中への進入を妨げる部材としては、杭、鋼管の外周に設けられるつばや、フランジなど、進入支持部材の外周に固定して圧入抵抗を増大させるものをいう。
【００１５】
また別な観点によれば、本発明は、杭圧入引抜機で杭を地中に圧入する際に反力を受け止める反力架台と、前記反力架台に対して相対的に水平移動自在なリーダーマストと、前記リーダーマストに対して昇降自在に支持された、杭を把持するチャックとを備えた杭圧入引抜機を用いた杭圧入工法であって、
地面に設置された前記反力架台と前記杭圧入引抜機とを固定して、設置支持部材を前記チャックで把持し、前記チャックを下降させて前記設置支持部材を地面に設置する動作と、
その後当該設置支持部材の支持力を反力として、前記設置支持部材を把持した前記チャックに対して前記リーダーマストおよび前記反力架台を一体に上昇させる動作と、
その後前記設置支持部材を前記チャックで把持した状態で、前記反力架台を前記リーダーマストに対して水平移動させる動作と、
その後前記チャックに対して前記リーダーマストおよび前記反力架台を一体に下降させた後、前記チャックを上昇させて前記設置支持部材を持ち上げる動作と、
その後前記リーダーマストおよび前記チャックを、前記反力架台に対して水平移動させる動作とを有している。
そして前記一連の動作、すなわち前記した５つの動作を一回又は複数回繰り返して行うことにより、所定位置まで前記杭圧入引抜機および前記反力架台を移動させた後、前記設置支持部材に対するチャックの把持を解除し、前記チャックで杭を把持して地中に圧入することを特徴としている。
【００１６】
前記各杭圧入工法において、前記リーダーマストの基台部は、前記リーダーマストを支持するサドルにスライド自在に設けられ、当該サドルが前記反力架台に固定されるようにしてもよい。
【００１７】
前記各杭圧入工法において、前記リーダーマストの基台部は、前記反力架台にスライド自在に直接設けられているようにしてもよい。
【００１８】
これら各杭圧入工法に使用される反力架台は、たとえば前記リーダーマストと一体に上昇した際に地面と反力架台との間に介在するローラを有するようにしてもよい。
【００１９】
また、これら各杭圧入工法に使用される杭圧入引抜機は、前記リーダーマストが前記反力架台と一体に上昇した際に地面と杭圧入引抜機との間に介在するローラを有するようにしてもよい。
【００２０】
さらにこれら各杭圧入工法に使用される反力架台の重心は、前記杭圧入引抜機と反力架台の固定部分よりも前方に位置していることがよい。
【００２１】
この場合、前記反力架台のフレームの少なくとも一部が、反力架台の基部を中心として側方に回動自在であるようにしてもよい。
【００２２】
これら各杭圧入工法に使用される反力架台は、前記チャックの回転に伴って発生する回転モーメントを地面側で受け止める手段を有するものとしてもよい。
【００２３】
またこれら各杭圧入工法に使用される杭圧入引抜機は、前記チャックの回転に伴って発生する回転モーメントを地面側で受け止める手段を有するものとしてもよい。
【発明の効果】
【００２４】
本発明によれば、いわば杭圧入引抜機と反力架台とが一体となって自走することができるから、従来のように杭間を離して杭を圧入する場合において、クレーン等による杭圧入引抜機、反力ウェイト、反力架台を圧入位置に搬入したり、圧入後にこれらをその都度撤去する必要はない。
【図面の簡単な説明】
【００２５】
【図１】本発明の実施の形態に使用される杭圧入引抜機の側面を模式的に示した説明図である。
【図２】本発明の実施の形態に使用される反力架台の平面図である。
【図３】本発明の実施の形態に係る圧入工法の施工プロセスを示し、最初に圧入すべき鋼矢板を圧入する状態を示す説明図である。
【図４】本発明の実施の形態に係る圧入工法の施工プロセスを示し、最初に圧入すべき鋼矢板を圧入した後、進入支持部材としての鋼矢板を杭圧入引抜機にセットした状態を示す説明図である。
【図５】本発明の実施の形態に係る圧入工法の施工プロセスを示し、進入支持部材としての鋼矢板に進入を妨げるつばを取り付けた状態を示す説明図である。
【図６】本発明の実施の形態に係る圧入工法の施工プロセスを示し、進入を妨げるつばを取り付けた鋼矢板による支持力によって、杭圧入引抜機のクランプ、サドル、スライドフレーム、リーダーマストと、反力架台とを一体に上昇させた状態を示す説明図である。
【図７】本発明の実施の形態に係る圧入工法の施工プロセスを示し、杭圧入引抜機のスライドフレームをスライドさせて杭圧入引抜機のクランプ、サドルと、反力架台とを後方に移動させる状態を示す説明図である。
【図８】本発明の実施の形態に係る圧入工法の施工プロセスを示し、杭圧入引抜機のクランプ、サドルと、反力架台を後方に移動させた後、杭圧入引抜機のクランプ、サドル、スライドフレーム、リーダーマストと、反力架台とを一体に地面に下降させた状態を示す説明図である。
【図９】本発明の実施の形態に係る圧入工法の施工プロセスを示し、進入支持部材としての鋼矢板からつばを取り外し、その後この鋼矢板を引き抜いてスライドフレームを後方に移動させる状態を示す説明図である。
【図１０】本発明の実施の形態に係る圧入工法の施工プロセスを示し、杭圧入引抜機と反力架台を後方に移動させた後、再び進入支持部材としての鋼矢板を圧入しようとする状態を示す説明図である。
【図１１】反力架台にローラを設けた例を示す説明図である。
【図１２】回転圧入型の杭圧入引抜機が、設置支持部材をチャックで把持している状態を示す説明図である。
【図１３】図１２で用いた反力架台の平面図である。
【図１４】鋼矢板を圧入引抜可能な杭圧入引抜機が、設置支持部材をチャックで把持している状態を示す説明図である。
【図１５】サイドフレームを回動自在に構成した反力架台の平面図である。
【図１６】図１５の反力架台を用いて施工した鋼管杭の配列例を示し、平面視でカーブして配列した状態を示す説明図である。
【図１７】図１５の反力架台を用いて施工した鋼管杭の配列例を示し、平面視で直角に配列方向を変えて配列した状態を示す説明図である。
【図１８】図１５の反力架台を用いて施工した鋼管杭の配列例を示し、平面視でジグザグに配列方向を変えて配列した状態を示す説明図である。
【図１９】回転圧入型の杭圧入引抜機において回転モーメントが発生している様子を示す平面視の説明図である。
【図２０】回転圧入型の杭圧入引抜機にアンカー装置を設けた例を示す説明図である。
【図２１】回転圧入型の杭圧入引抜機に使用される反力架台にアンカー装置を設けた例を示す説明図である。
【図２２】スライドフレームを直接取り付け自在な反力架台の側面図である。
【図２３】図２２の反力架台の平面図である。
【図２４】図２２の反力架台にベース部分を持たない杭圧入引抜機を取り付けた様子を示す一部断面側面図である。
【図２５】図２２の反力架台にベース部分を持たない杭圧入引抜機を取り付けた様子を示す平面図である。
【発明を実施するための形態】
【００２６】
以下、本発明の実施の形態について、図面を参照しながら説明する。なお、本明細書および図面において、実質的に同一の機能構成を有する要素においては、同一の符号を付することにより重複説明を省略する。
【００２７】
図１は、実施の形態で使用される杭圧入引抜機１の側面を示している。この杭圧入引抜機１は、鋼矢板を圧入する際に使用されるものである。この杭圧入引抜機１のベース部分となるサドル１０の下面には、複数のクランプ１１が装着されている。クランプ１１は、図示しない油圧シリンダの駆動により既設杭や、反力架台２０の後方側に設定された固定部２１の上端を掴んでサドル１０を固定し、圧入の反力をとる機能を有している。なお図１において、後方とは、紙面左側であり、紙面右側が前方である。
【００２８】
サドル１０の上面には、前後方向に移動可能なスライドフレーム１２を介してリーダーマスト１３がスライド自在に装着されており、リーダーマスト１３の前方には、チャックフレーム１４とチャック１５が配置されている。スライドフレーム１２はリーダーマスト１３の基台部となる。サドル１０の上面においてスライドフレーム１２が前後方向に移動することによって、リーダーマスト１３とチャックフレーム１４とチャック１５は一体的に前後移動し、さらにメインシリンダ１６の作動によってチャックフレーム１４とチャック１５は昇降する。チャック１５はチャックフレーム１４の下面において回転可能に構成されている。またリーダーマスト１３は、スライドフレーム１２上で旋回自在となるように、スライドフレーム１２上に設けられている。
【００２９】
チャック１５には、鋼矢板Ｕを上下方向に挿通させる開口部（図示せず）と、この開口部に通された鋼矢板Ｕを把持するための、水平方向に対向配置された一対のチャック爪（図示せず）が設けられている。チャック爪は、可動爪と固定爪とによって構成され、可動爪がシリンダ１７で駆動されることで、可動爪と固定爪とは接近、離隔自在な構成となっている。
【００３０】
この実施の形態で使用される反力架台２０は、図２にその平面を示したように、反力架台２０の基部２２の後方側には、前記した固定部２１を有している。また、反力架台２０の基部２２前方両側には、サイドフレーム２３、２４が設けられている。そしてサイドフレーム２３、２４と基部２２とによって、全体として平面視が略コ字形の構成をなしている。各サイドフレーム２３、２４の外側には、十分な質量を確保するためのウェイト部２３ａ、２４ａが設けられている。固定部２１、基部２２、サイドフレーム２３、２４、ウェイト部２３ａ、２４ａは、搬送の便を考慮して分割構造としてもよい。
【００３１】
そして本実施の形態では、反力架台２０の重心は、固定部２１よりも前方に設定されている。より具体的には、たとえば圧入する鋼矢板や後述の進入支持部材となる鋼矢板Ｓを挟んで、杭圧入引抜機１の重心と対峙する位置に設定されるのが良い。
【００３２】
実施の形態に使用される杭圧入引抜機1、反力架台２０は以上のように構成されており、次に実施の形態にかかる杭圧入工法について説明する。
【００３３】
まず図３に示したように、地面に反力架台２０を設置し、杭圧入引抜機１のクランプ１１で反力架台２０の固定部２１をクランプして、杭圧入引抜機１と反力架台２０とを固定する。次いで、最初に圧入する鋼矢板Ｕをチャック１５にセットし、所定位置にてメインシリンダ１６を作動させて、鋼矢板Ｕを圧入する。鋼矢板Ｕを所定深さまで圧入した後は、チャック１５による把持を解除し、チャックフレーム１４を上昇させる。
【００３４】
次いで図４に示したように、スライドフレーム１２を後方（図中の白抜き矢印）にスライドさせて、チャック１５に、進入支持部材となる鋼矢板Ｓを把持させる。
【００３５】
その後図５に示したように、鋼矢板Ｓを圧入する。そして所定の深さまで圧入したら、圧入動作を中断し、鋼矢板Ｓの地面付近の側面に、鋼矢板Ｓの地中への進入を妨げるつばＳＦを取り付ける。このつばＳＦは、例えば全体としての外形が円錐台形の形状を有し、分割可能な構造を有している。そしてこのつばＳＦの取り付け作業が完了すると、メインシリンダ１６を作動させて再び圧入動作を開始する。
【００３６】
そうすると、つばＳＦによって鋼矢板Ｕの地中への圧入抵抗が大きく増大する。この時点でなおもメインシリンダ１６を作動させると、図６に示したように、鋼矢板ＳのつばＳＦのところで、今度は反力架台２０と、クランプ１１、サドル１０、スライドフレーム１２、リーダーマスト１３が鋼矢板Ｓを把持しているチャック１５に対して、一体となって上昇する。すなわち、鋼矢板Ｓを介して反力架台２０と、クランプ１１、サドル１０、スライドフレーム１２、リーダーマスト１３の重量が地盤の支持力で受け止められて、メインシリンダ１６の作動により、反力架台２０と、クランプ１１、サドル１０、スライドフレーム１２、リーダーマスト１３が一体となって上昇する。
なおここでは、つばＳＦを鋼矢板Ｓに取り付けることで図５に示す状態から図６に示す状態に移行させる例を挙げて説明したが、つばＳＦを鋼矢板Ｓに取り付けることなく、鋼矢板Ｓの先端が支持層に到達することをもって図５に示す状態から図６に示す状態に移行させるようにしてもよい。
【００３７】
このとき、反力架台２０の重心は、固定部２１よりも前方に位置しているので、鋼矢板Ｓを支点として、反力架台２０と一体となったクランプ１１、サドル１０、スライドフレーム１２、リーダーマスト１３が上昇しても、後方（図中の左側）への転倒モーメントが小さく済む。なおより安定した状態を実現するために、たとえば、重心を前後方向に移動させるための重錘を、スライド自在に反力架台２０、例えばサイドフレーム２３、２４やウェイト部２３ａ、２４ａの上に設けてもよい。
【００３８】
そしてこの状態（チャック１５が鋼矢板Ｓを把持した状態）で、図７の矢印に示したように、スライドフレーム１２を水平方向にスライドさせることにより、杭圧入引抜機１のクランプ１１およびサドル１０は反力架台２０と共に後方（図中の左側）に移動する。
【００３９】
そして所定距離移動させた後、メインシリンダ１６を逆方向に作動させることにより、図８に示したように、クランプ１１、サドル１０、スライドフレーム１２、リーダーマスト１３は反力架台２０と共に下降し、反力架台２０が地面に設置される。
【００４０】
次いで図９に示したように、鋼矢板Ｓの側面に取り付けたつばＳＦを取り外し、その後メインシリンダ１６を作動させて鋼矢板Ｓを引き抜き、次いでスライドフレーム１２を作動させて、杭圧入引抜機１のリーダーマスト１３、チャックフレーム１４、チャック１５を後方（図中の左側）に移動する。これによって図１０の状態となり、以後、図４〜図１０に示した同様な動作を繰り返すことで、杭圧入引抜機１と反力架台２０とを後方（図中の左側）に移動させることができる。そして、最初に圧入した鋼矢板Ｕから所定の距離に達した時点で、鋼矢板Ｓを引き抜き、チャック１５による鋼矢板Ｓの把持を解除し、鋼矢板Ｓに代えて、杭間を離して圧入すべき他の鋼矢板Ｕをチャック１５で把持させて圧入していくことで、所定の距離を離して鋼矢板Ｕを順次圧入することができる。
【００４１】
このように本実施の形態によれば、杭圧入引抜機１のメインシリンダ１６とスライドフレーム１２の動作によって、施工現場にて、杭圧入引抜機１と反力架台２０を、いわば自走させることができ、所望の位置にて鋼矢板Ｕを、所定距離を離して順次圧入することができる。したがって従来のように、杭間を離して鋼矢板Ｕを圧入する場合に、反力ウェイト、反力架台、杭圧入引抜機をそれぞれクレーンで吊りこんで、現場へ搬入し、圧入後にこれら反力ウェイト、反力架台、杭圧入引抜機を撤去し、その後再び次の圧入位置までクレーンで搬送して、設置するという煩雑な作業は不要である。
【００４２】
そして反力架台２０は、サイドフレーム２３、２４と基部２２とによって平面視で略コ字型に構成され、杭圧入引抜機１のチャック１５は、図２に示したように、平面視でサイドフレーム２３、２４間に位置しているから、圧入の際、全体の重心は圧入位置に近くなり、圧入時には反力架台２０の重量を効果的に利用でき、安定して圧入作業を行うことができる。
【００４３】
前記したように、反力架台２０の重心は、固定部２１よりも前方に位置するように構成されているので、鋼矢板Ｓを支点として、反力架台２０と一体となったクランプ１１、サドル１０、スライドフレーム１２、リーダーマスト１３が上昇しても、後方（図中の左側）への転倒モーメントは小さく済むが、図１１に示したように、反力架台２０が上昇した際に、地面と反力架台２０との間に介在するローラ３１を、反力架台２０の後方側に設ければ、クランプ１１、サドル１０、スライドフレーム１２、リーダーマスト１３、反力架台２０が一体となって上昇した際に、後方（図中の左側）に倒れることを確実に防止することができる。しかも図７に示した状態、すなわちスライドフレーム１２を作動させて、サドル１０を反力架台２０ごと後方へ移動させる際も、これを円滑に行うことができる。
【００４４】
なおローラ３１は、例えば油圧シリンダで支持するように反力架台２０に設けてもよい。さらにまたこのローラ３１は、杭圧入引抜機１側、たとえばサドル１０に設けてもよい。またローラ３１自体は、水平方向に回転するだけではなく、鉛直軸を軸心として回転可能であるものが好ましい。たとえばいわゆる自在ローラも使用することができる。
【００４５】
前記実施の形態では、進入支持部材となる鋼矢板Ｓを杭圧入引抜機１のチャック１５で把持して、地面に圧入し、杭圧入引抜機１のクランプ１１、サドル１０、スライドフレーム１２、リーダーマスト１３と反力架台２０の上昇時の重量を受け止めて支持するようにしていたが、そのような進入支持部材に代えて、設置支持部材を用いて、杭圧入引抜機と反力架台の上昇時の重量を受け止めるようにしてもよい。
【００４６】
図１２はかかる場合の例を示しており、図１２に示した杭圧入引抜機４１は、鋼管杭を圧入する際に使用されるものである。この杭圧入引抜機４１は、鋼管杭をチャック１５で把持しながら回転させるとともに、メインシリンダ１６の作動でチャック１５を昇降させることによって圧入する、いわゆる回転圧入方式の杭圧入引抜機として構成されている。
【００４７】
この杭圧入引抜機４１は、反力架台２０の固定部２１において、クランプ４２によって反力架台２０と固定するようになっている。すなわち、図１３に示したように、固定部２１にはクランプ用の穴２１ａ、２１ｂが形成されており、この穴２１ａ、２１ｂ内に、サドル１０の下面に設けられたクランプ４２の押し付け部材（図示せず）を、たとえば油圧シリンダなどによって内側から外側へと押し付けるようにして、サドル１０と反力架台２０とを固定するようになっている。
【００４８】
この反力架台２０は、基部２２の後方に固定部２１が設けられ、基部２２の前方には、平面視で略コ字型となるように、サイドフレーム２３、２４が設けられている。また各サイドフレーム２３、２４の外側には、ウェイト部２３ａ、２４ａが設けられている。
【００４９】
このような構成を有する杭圧入引抜機４１によれば、図示は省略するが、前記した杭圧入引抜機１の場合と同じく、サドル１０と反力架台２０とをクランプ４２によって固定し、進入支持部材として鋼管杭を用いて、同様な施工プロセスを経ることで、クランプ４２、サドル１０、スライドフレーム１２、リーダーマスト１３と、反力架台２０とを、メインシリンダ１６の作動によって一体に上昇させることができ、またスライドフレーム１２のスライドによって、クランプ４２およびサドル１０を反力架台２０と共に後方に移動させることができる。進入支持部材としての鋼管杭としては、例えば、円筒形状の鋼管杭や、鋼管先端部に螺旋状の羽根を設けた先端羽根付鋼管杭や、鋼管先端部に略円錐形状の先端翼を設けた先端翼付鋼管杭を用いることができる。なお、クランプ４２、サドル１０、スライドフレーム１２、リーダーマスト１３と、反力架台２０とを、メインシリンダ１６の作動によって一体に上昇させるにあたって、鋼管杭の地中への進入を妨げる部材を鋼管杭の地面付近の外周に取り付ける場合は、その部材として、例えば、全体としての外形が円錐台形の形状を有し、分割可能な構造を有する部材を用いる。
【００５０】
前記した、進入支持部材を用いる実施の形態では、進入支持部材として、鋼矢板や鋼管杭などといった杭を用いる例を挙げて説明したが、杭に代えて、オーガスクリューを内蔵したオーガケーシングを用いてもよい。オーガケーシングを進入支持部材として使用する場合には、地中進入時にはオーガスクリューを回転させ、所定深さまで地中進入を終えた時点で、オーガスクリューを停止させ、その状態でメインシリンダ１６を作動させることで、杭圧入引抜機１、４１のクランプ１１、４２、サドル１０、スライドフレーム１２、リーダーマスト１３と反力架台２０の重量は、オーガケーシングで受け止めて支持することができる。
【００５１】
そのような鋼管杭やオーガケーシングなどの進入支持部材は、地中への進入動作を伴う。しかしながら本発明では、そのような進入支持部材の地中への進入動作を行わずに、反力架台、杭圧入引抜機を現場にて自走させることも可能である。
【００５２】
図１２は、そのような進入支持部材に代えて使用する設置支持部材５１を使用する場合を示している。この設置支持部材５１は、例えば全体として外形が円柱形状を有している。また、チャック１５で把持し、メインシリンダ１６を作動させて、杭圧入引抜機４１のクランプ４２、サドル１０、スライドフレーム１２、リーダーマスト１３と反力架台２０とを一体に上昇させる場合に、十分な安定性を実現するため、設置支持部材５１は、相応の重量を有している。なお安定性や地盤からの支持力を十分に得るために、図１２に示したように、設置支持部材５１の下部に台座部５２を設けるようにしてもよい。
【００５３】
たとえば杭圧入引抜機４１が自走するため反力架台２０と固定された状態で、チャック１５で設置支持部材５１を掴んで、杭圧入引抜機４１のクランプ４２、サドル１０、スライドフレーム１２、リーダーマスト１３と設置支持部材５１とがチャック１５に対して一体に上昇した際に、杭圧入引抜機４１が後方へと倒れるモーメントを抑える程度の重量が必要となる。この重量は、杭圧入引抜機４１のクランプ４２、サドル１０、スライドフレーム１２、リーダーマスト１３、反力架台２０の重量や、クランプ４２、サドル１０、スライドフレーム１２、リーダーマスト１３が上昇した際の重心位置の関係と設置支持部材５１の重心との関係、あるいは既述したローラ３１の有無により変動するので、これらを総合して設定される。
【００５４】
このような設置支持部材５１をチャック１５で把持し、その状態で設置支持部材５１を下げる方向にメインシリンダ１６を作動させることで、杭圧入引抜機４１のクランプ４２、サドル１０、スライドフレーム１２、リーダーマスト１３と反力架台２０とを、設置支持部材５１を把持しているチャック１５に対して、一体に上昇させることができる。そしてその後にスライドフレーム１２を水平方向にスライドさせて、杭圧入引抜機４１のクランプ４２、サドル１０と反力架台２０とを一体に後方に移動させ、次いでメインシリンダ１６を逆方向に作動させて杭圧入引抜機４１のクランプ４２、サドル１０、スライドフレーム１２、リーダーマスト１３と反力架台２０とを一体に下降させて、反力架台２０を地面に設置する。そしてその後メインシリンダ１６を作動させて設置支持部材５１を上昇させ、その状態でスライドフレーム１２を後方に移動させることで、設置支持部材５１を後方に移動させることができる。
【００５５】
このような動作を繰り返し、反力架台２０、杭圧入引抜機４１が、所定位置に達したら、設置支持部材５１に代えて、回転圧入すべき鋼管杭をチャック１５で把持し、当該鋼管杭を圧入すればよい。このように進入支持部材に代えて設置支持部材５１を使用しても、反力架台２０を施工現場にていわば自走させることができ、所望の位置にて、鋼管杭を所定距離離して順次圧入することができる。もちろん前記した進入支持部材を用いた場合と同様、反力ウェイト、反力架台、杭圧入引抜機をそれぞれクレーンで吊りこんで、現場へ搬入、圧入後にこれら反力ウェイト、反力架台、杭圧入引抜機を撤去し、その後再び次の圧入位置までクレーンで搬送して、次々と設置するという従来の煩雑な作業は不要である。なおこのような専用の設置支持部材５１を用いることなく、たとえば既存の回転圧入工法において使用され、既設鋼管杭の上に設置されて既設の鋼管杭をさらに圧入するための打ち下げ装置を、設置支持部材５１として使用してもよい。このような打ち下げ装置を使用する場合は、例えば、全体としての外形が円錐台形の形状を有し、分割可能な構造を有する着脱自在な部材を下部外周に設けることが好ましい。
【００５６】
前記設置支持部材５１を適用した杭圧入引抜機４１は、既述の如く、鋼管杭を圧入、引抜きするいわゆる回転圧入方式の杭圧入引抜機として構成されたものであったが、鋼矢板などの形鋼を圧入、引抜きする前出の杭圧入引抜機１によっても、設置支持部材５１を用いた圧入工法を実施可能である。
【００５７】
図１４は、かかる場合の様子を示している。ここで使用される設置支持部材５１は、下部に台座部５２を有しており、回転圧入方式の杭圧入引抜機４１で使用された設置支持部材５１と類似の形状を有しているが、チャック１５で把持される部分は、鋼矢板Ｕなどの形鋼の水平断面と同一の形状を有している。また台座部５２は、安定性や地盤からの支持力を十分に得るため、外形は台座部５２は全体として円錐台形の形状とされている。このような設置支持部材５１を用いることで、形鋼を圧入、引抜きする杭圧入引抜機１によっても、前記した回転圧入方式の杭圧入引抜機４１で説明したように、設置支持部材５１を使用して、現場にて杭圧入引抜機１と反力架台２０を自走させて、離間して杭を圧入する作業を好適に実施することが可能である。
【００５８】
前記した反力架台２０は、基部２２に対してサイドフレーム２３、２４が固定された構造であったが、図１５に示したように、たとえばサイドフレーム２３、２４の一方、または双方を、基部２２側を中心として水平方向に回動自在となるように構成してもよい。そのようなサイドフレーム２３、２４の回動動作は、たとえば油圧シリンダ、モータ等によって実現できる。
【００５９】
このように反力架台２０を構成することで、たとえばリーダーマスト１３がスライドフレーム１２上にて回転自在に構成された杭圧入引抜機を用い、スライドフレーム１２の前後方向の移動と、リーダーマスト１３の旋回動作を併用することで、図１６〜図１８に示したような、種々の配列にて鋼管杭や鋼矢板などといった杭を離間して圧入することができる。
【００６０】
図１６は、カーブして鋼管杭Ｐ１〜Ｐ４が離間して圧入される配列例を示し、図１７は、途中で直角方向に配列を変えて鋼管杭Ｐ１〜Ｐ６が離間して圧入される配列例を示し、図１８は、平面視でジグザグとなるように一本ごとに進行方向を変えて鋼管杭Ｐ１〜Ｐ８が離間して圧入される配列例を示している。
【００６１】
ところで回転圧入方式の杭圧入引抜機４１を用いて鋼管杭Ｐを回転圧入する際には、図１９の太矢印に示したように、回転に伴う回転モーメントが杭圧入引抜機４１、反力架台２０に発生する。かかる事態に対処するため、例えば図１９〜図２１に示したように、当該回転モーメントを地面側で受け止めるアンカー装置６１を杭圧入引抜機４１、あるいは反力架台２０に設けてもよい。
【００６２】
図２０に示した例は、アンカー装置６１を杭圧入引抜機４１側に設けた例を示し、アンカー装置６１は、杭圧入引抜機４１のサドル１０の後方端部に設けられている。このアンカー装置６１は、地中に進入するアンカー部６２と、このアンカー部６２を上下動させるシリンダ部６３とを有している。かかるアンカー装置６１を設けることで、杭圧入引抜機４１によって鋼管杭Ｐを回転圧入する際に発生する回転モーメントは、アンカー部６２によって杭圧入引抜機４１のサドル１０を介して地面側で受け止められる。
【００６３】
図２１に示した例は、アンカー装置６１を反力架台２０側に設けた例を示し、アンカー装置６１は、支持部６４を介して、反力架台２０後方端部に設けられている。これによって、杭圧入引抜機４１によって鋼管杭Ｐを回転圧入する際に発生する回転モーメントは、アンカー部６２によって反力架台２０を介して地面側で受け止められる。
【００６４】
なお図２０、２１に示したアンカー装置６１は、いずれも地中に進入させるアンカー部６２を有するものであったが、回転モーメントを地面側で受け止める構成のものであれば、かかる例に限られない。
【００６５】
たとえば地面上に鉄板を敷き、この上に反力架台２０を設置し、杭圧入引抜機４１のサドル１０や反力架台２０に磁石装置を設け、敷かれた鉄板に磁石装置の磁石によって杭圧入引抜機４１のサドル１０や反力架台２０を固定するようにしてもよい。このような磁石による固定によっても、杭圧入引抜機４１によって鋼管杭Ｐを回転圧入する際に発生する回転モーメントを、地面側で受け止めることができる。
【００６６】
また前記した反力架台２０は、基部２２前方両側に、サイドフレーム２３、２４が設けられ、かつ基部後方には固定部２１を有する、平面視で略コ字型の形状を有するものであったが、もちろん本発明で採用できる反力架台は、かかる形状に限られるものではなく、たとえば平面視で略Ｈ字型の形状を有する反力架台としてもよい。かかる略Ｈ字型の反力架台として、例えば、固定部２１の後方両側に、サイドフレーム２３、２４と同様な後部サイドフレームを設けた反力架台によれば、後方側の安定性が向上する。またかかる形状を有する反力架台では、この後部サイドフレームを、杭圧入引抜機のサドル１０との固定部として用いてもよい。
【００６７】
ところで、前記した実施の形態では、いずれもクランプ１１やクランプ４２を介して杭圧入引抜機１、４１のサドル１０と反力架台２０とを固定したものであったが、図２２〜図２５に示したように、杭圧入引抜機のクランプおよびサドルを省略し、杭圧入引抜機のスライドフレーム１２を直接、反力架台７０にスライド自在に取り付けた構成としてもよい。
【００６８】
すなわち、この反力架台７０は、基部７１の両側前方に、図２３に示したように、サイドフレーム７２、７３を有する、全体として平面視で略コ字型形状を有し、この基部７１の上に、取付け部７４が設けられた形状を有している。
【００６９】
取付け部７４は、その両側（図中の上下）に前後方向（図中の左右方向）に延びるガイド７４ａ、７４ｂを有している。また取付け部７４の後方端部には、後述のシリンダ８１のシリンダロッド８２の端部を固定する固定部材７５が設けられている。
【００７０】
かかる構成を有する反力架台７０には、杭圧入引抜機のスライドフレーム１２が直接スライド自在に取り付けられる。すなわち、図２４、図２５に示したように、杭圧入引抜機のスライドフレーム１２の両側が、この取付け部７４のガイド７４ａ、７４ｂに入り込み、これによってスライドフレーム１２は、取付け部７４、すなわち反力架台７０に対して、前後方向にスライド自在に取り付けられる。そしてスライドフレーム１２に固定されたシリンダ８１のシリンダロッド８２の端部が、取付け部７４の固定部材７５に固定されている。これによってシリンダ８１のシリンダロッド８２の伸縮動作により、スライドフレーム１２は、前後方向、すなわち、図２５中の往復矢印に示したように、スライドし、それによってリーダーマスト１３を前後方向に移動させることが可能である。
【００７１】
このような構成を有する反力架台７０、並びに前記した杭圧入引抜機１、４１においてクランプ１１、４２およびサドル１０を省略した構成の杭圧入引抜機を用いても、反力架台と杭圧入引抜機を現場にて自走させることができ、前記した杭間を離間して杭を圧入する施工方法を容易に実施することができる。
【００７２】
なお前記した実施の形態では、ローラ３１とアンカー装置６１とは、各々個別に設けられた例を示したが、もちろんローラ３１とアンカー装置６１の双方を具備していてもよい。また反力架台側、杭圧入引抜機側のいずれかに一方に個別に設けられていたり、あるいは反力架台側、杭圧入引抜機側のいずれかに双方とも設けられていてもよい。
【産業上の利用可能性】
【００７３】
本発明は、杭を離間して地盤に圧入する際に有用である。
【符号の説明】
【００７４】
１、４１  杭圧入引抜機
１０  サドル
１１、４２  クランプ
１２  スライドフレーム
１３  リーダーマスト
１４  チャックフレーム
１５  チャック
１６  メインシリンダ
２０、７０  反力架台
２１  固定部
２２  基部
２３、２４、７２、７３  サイドフレーム
２３ａ、２４ａ  ウェイト部
７４    取付け部
７５    固定部材
８１    シリンダ
８２    シリンダロッド
Ｐ  鋼管杭
Ｓ  鋼矢板
ＳＦ  つば
Ｕ  鋼矢板
【図１】
0006523867.tif 000002
【図２】
0006523867.tif 000003
【図３】
0006523867.tif 000004
【図４】
0006523867.tif 000005
【図５】
0006523867.tif 000006
【図６】
0006523867.tif 000007
【図７】
0006523867.tif 000008
【図８】
0006523867.tif 000009
【図９】
0006523867.tif 000010
【図１０】
0006523867.tif 000011
【図１１】
0006523867.tif 000012
【図１２】
0006523867.tif 000013
【図１３】
0006523867.tif 000014
【図１４】
0006523867.tif 000015
【図１５】
0006523867.tif 000016
【図１６】
0006523867.tif 000017
【図１７】
0006523867.tif 000018
【図１８】
0006523867.tif 000019
【図１９】
0006523867.tif 000020
【図２０】
0006523867.tif 000021
【図２１】
0006523867.tif 000022
【図２２】
0006523867.tif 000023
【図２３】
0006523867.tif 000024
【図２４】
0006523867.tif 000025
【図２５】
0006523867.tif 000026